(57)【特許請求の範囲】
【請求項１】
金属製のボトル本体と、ボトル本体の肩部外まわりに肩部上に延びる口部の上方から着脱できるように嵌め合わされた肩部材と、前記口部の外まわりにねじ嵌めやヘリコイド係合、これに類する方式で回動を伴ってのみ上方から着脱できるように嵌め付けられて肩部材と接触し、肩部材をボトル本体に固定する肩固定部材と、前記口部にその内まわりへのねじ嵌めにより着脱できるように上方から嵌め付けられて口部の上端に注ぎ口を形成するとともに口部の外周に位置して肩固定部材と対向する操作部を形成し、ボトル本体内と注ぎ口とを繋ぐ注出路とこの注出路を開閉する弁体とを持った口部材と、口部材および肩固定部材に上方から被さって肩部材の肩固定部材下の露出部に着脱できるように装着されたコップタイプのキャップとを備えたことを特徴とする金属製ボトル。
【請求項２】
口部材は肩固定部材との対向部間に隙間が設けられている請求項１に記載の金属製ボトル。
【発明の詳細な説明】
【０００１】
【発明の属する技術分野】
本発明はステンレス鋼などよりなる金属製ボトルに関し、例えば携帯用の保温水筒などとして用いて便利な、口部に開閉栓とコップタイプのキャップを持った金属製ボトルに関するものである。
【０００２】
【従来の技術】
金属製ボトルは耐久性がよく取り扱いが荒っぽくなる携帯用の水筒などとして好適である。特に、保温性を重視した真空二重構造にするにもそれ自体かさ張らない特徴を有する上、外装ケースなどの保護構造が不要であるため構造が簡単でスリムな形態にすることができる。
【０００３】
しかし、金属製ボトルは一重容器、真空二重容器の別なく、使用に安全で便利な注ぎ口形状としたり、注ぎ口に開閉栓を設けたり、肩部に吊紐の連結部やハンドルを設けたりすることが、加工や組み立て方の限界上難しい。そこで、従来、第３０１５１７８号登録実用新案公報で知られるように、金属製のボトル本体の肩部に成形容易な合成樹脂製の肩部材を装着して、この肩部材に吊紐の連結部を設けたり、ボトル本体の口部に成形容易な合成樹脂製の口部材を装着して、この口部材により注ぎ口と、コップタイプのキャップの装着部と、前記注ぎ口およびボトル本体内を繋ぐ注出路とを形成して、この注出路にそれを開閉する弁体を設けることが行われている。
【０００４】
【発明が解決しようとする課題】
しかし、上記従来の肩部材はボトル本体の肩部にねじ嵌めしたもので、キャップを装着した状態でも外部に露出していて直接外力を受けやすいし、装着したキャップを介しても外力を受け、これがボトル本体へのねじ嵌め状態が緩む原因になりやすく、ねじ嵌めの緩みはガタツキの原因になるので製品の信頼性を欠く。
【０００５】
このような肩部材の緩みの原因になる外力は、肩部材に連結した吊紐での携行時の揺れや振り回しによって生じやすく、ボトル本体が落下する可能性につき無いとはいい難い。
【０００６】
本発明の目的は、肩部材の脱落がなく信頼性の高い金属製ボトルを提供することにある。
【０００７】
【課題を解決するための手段】
上記のような目的を達成するために、本発明の金属製ボトルは、金属製のボトル本体と、ボトル本体の肩部外まわりに肩部上に延びる口部の上方から着脱できるように嵌め合わされた肩部材と、前記口部外まわりにねじ嵌めやヘリコイド係合、これに類する回動を伴ってのみ上方から着脱できるように嵌め付けられて肩部材と接触し、肩部材をボトル本体に固定する肩固定部材と、前記口部にその内まわりへのねじ嵌めにより着脱できるように上方から嵌め付けられて口部の上端に注ぎ口を形成するとともに口部の外周に位置して肩固定部材と対向する操作部を形成し、ボトル本体内と注ぎ口とを繋ぐ注出路とこの注出路を開閉する弁体とを持った口部材と、口部材および肩固定部材に上方から被さって肩部材の肩固定部材下の露出部に着脱できるように装着されたコップタイプのキャップとを備えたことを特徴とするものである。
【０００８】
このような構成では、ボトル本体の肩部の外まわりや口部に着脱できるように装着された肩部材や口部材が、ボトル本体と別体であるため、成形しやすい合成樹脂製などとして形状はもとより色も自由に設定でき、必要に応じて吊紐の連結部やハンドル、開閉栓などの付帯物を設けたり後付けしやすい上、この肩部材に、ボトル本体の肩部から上方に延びる口部に上方から被さるコップタイプのキャップを着脱できるように装着するので、キャップ装着時はキャップと肩部材しか外部に露出しない従来同様の外観や機能性が得られる。
【０００９】
一方、このような外観上、肩部材には従来の場合と同様に直接またはキャップを介して外力が働きやすい。しかし、肩固定部材が、肩部材の上で、従ってキャップが被さり覆われる部分に位置する外力を受けない部材となって、ボトル本体の口部外まわりにねじ嵌めやヘリコイド係合、これに類する方式で回動を伴ってのみ上方から着脱できるように嵌め付けられていることにより、肩部材をそれと接触してボトル本体への装着状態に固定しているので、外力が肩部材にどのように働くのかにかかわりなく肩固定部材に外力が働くことはなく、肩部材の肩固定部材による固定状態が緩むようなことを回避し、肩部材に連結し、あるいは設けた吊紐やハンドルによる携行時や取り扱い時に、肩部材が緩んでガタツキが生じるようなことや、増してボトル本体が脱落するようなことを防止することができ、信頼性の高いものになる。
【００１０】
しかも、ボトル本体の付帯物である口部材、肩部材、肩固定部材、およびキャップの全てがボトル本体に対し着脱できるので、ボトル本体を含め全ての構成部材を丸洗いすることができ、それらの組み立て構造上できる相互間の隙間や隅角部の汚れや付着異物なども容易に確実に除去することができ、全体を長期に清潔に保てる。
【００２２】
口部材は肩固定部材との対向部間に隙間を設ける。この隙間は肩固定部材のねじ嵌めなどによる肩部材を固定する締め付け位置に変動があっても、この変動の影響を受けずに口部材を所定の装着状態まで確実にねじ嵌めできるようにする。
【００２３】
本発明のそれ以上の目的および特徴は、以下の詳細な説明および図面の記載によって明らかになる。本発明の各特徴は、それ単独で、あるいは種々な組み合わせで複合して用いることができる。
【００２４】
【発明の実施の形態】
以下、本発明の実施の形態について、その実施例とともに図１〜図９を参照しながら詳細に説明し、本発明の理解に供する。
【００２５】
本実施の形態は、主として飲料用で携帯用の保温性を持った金属製ボトルに適用した場合の一例である。しかし、本発明はこれに限られることはなく、飲料以外の液体を容れるものや、携帯用以外のもの、あるいは保温性のないものでも有効である。
【００２６】
本実施の形態の金属製ボトルは図１〜図９に示すように、保温性を持つため、一例として金属製の内容器１と外容器２とを二重に組合せて、それらの間を真空断熱空間３としてある。内容器１と外容器２とは共に熱伝導性の低いステンレス鋼で形成され、口部４において互いが溶接接合されて金属製のボトル本体５を構成している。このボトル本体５の肩部に成形容易な合成樹脂製の肩部材６を装着して、この肩部材６に吊紐７の連結部８を設けてある。また、ボトル本体５の口部４に成形容易な合成樹脂製の口部材９を装着して、この口部材９により注ぎ口１１と、前記注ぎ口１１およびボトル本体５内を繋ぐ注出路１４とを形成して、この注出路１４にそれを開閉する弁体１５を設けてある。また、それらの外側に上方から被せて着脱できるように装着されるコップタイプのキャップ１２を有している。
【００２７】
本実施の形態では特に、肩部材６はボトル本体５の肩部５ａの外まわりに肩部５ａ上に延びる口部４の上方から着脱できるように嵌め合わされ、口部４の外まわりにねじ２１でのねじ嵌めやヘリコイド係合、これらに類似したＬ型溝と突起の係合など回動を伴ってのみ上方から着脱できるように嵌め付けられて前記肩部材６をボトル本体５に固定する肩固定部材２２を有している。
【００２８】
また、口部材９は従来の場合同様に、口部４に上方から嵌め付けられて口部４の上端に注ぎ口１１を形成するとともにボトル本体５内と注ぎ口１１とを繋ぐ注出路１４とこの注出路１４を開閉する弁体１５とを持ったものであるが、キャップ１２はこの口部材９に加え、肩固定部材２２にも上方から被さり、肩部材６の肩固定部材２２より下の露出部６ａに設けたねじ１３などの装着部にねじ嵌めなどして着脱できるように装着されている。キャップ１２を肩部材６の露出部６ａに着脱できるように装着するのに、キャップ１２は外力を受けて外れやすいので、ねじ嵌めが好適である。しかし、これに限られることはなく、上記のようなヘリコイド係合、これらに類似したＬ型溝と突起の係合などを利用することができるし、場合によっては弾性的な嵌め合わせ構造、閉じ状態へのロック、ロック解除ができるロック機構の採用も考えられる。
【００２９】
このように、ボトル本体５の肩部５ａの外まわりや口部４に着脱できるように装着された肩部材６や口部材９が、ボトル本体５と別体であるため、成形しやすい合成樹脂製として形状はもとより色も自由に設定でき、必要に応じて図１、図２、図６、図８、図９に示す実施例のような吊紐７の連結部８や図８、図９に示す実施例のようなハンドル３３、前記口部材９が弁体１５を有して構成する開閉栓３４などの付帯物を設けたり、後付けしたり、しやすい上、この肩部材６に、ボトル本体５の肩部５ａから上方に延びる口部４に上方から被さるコップタイプのキャップ１２を着脱できるように装着するので、キャップ１２の装着時はキャップ１２と肩部材６しか外部に露出しない従来同様の外観や機能性が得られる。
【００３０】
ところで、このような外観上、肩部材６には従来の場合と同様に直接またはキャップ１２を介して外力が働きやすいといえる。しかし、肩固定部材２２が、肩部材６よりも上にあってキャップ１２が被さり覆われる部分に位置していることにより、外力を受けない部材となって、ボトル本体５の口部４の外まわりにねじ１３によるねじ嵌めやヘリコイド係合、これに類する方式で回動を伴ってのみ上方から着脱できるように嵌め付けられていることにより、肩部材６をボトル本体５への装着状態に固定しているので、外力が肩部材６にどのように働くのかにかかわりなく肩固定部材２２に外力は働かず、肩部材６の肩固定部材２２による固定状態が緩むようなことを回避し、肩部材６に連結しあるいは設けた吊紐７やハンドル３３による携行時や取り扱い時に、肩部材６が緩んでガタツキが生じるようなことや、増してボトル本体５が脱落するようなことを防止することができ、信頼性の高いものになる。
【００３１】
同時に、ボトル本体５の付帯物である口部材９、肩部材６、肩固定部材２２、およびキャップ１２の全てがボトル本体５に対し着脱できるので、ボトル本体５を含め全ての構成部材を丸洗いすることができ、それらの組み立て構造上できる相互間の隙間や隅角部の汚れや付着異物なども容易に確実に除去することができ、全体を長期に清潔に保てる。従って、クリーンルームや無菌室での使用にも適したものとなる。
【００３２】
なお、図１、図２、図８、図９に示すように口部４の内容器１に口部材９を着脱できるように装着するためにねじ嵌めするねじ３５が形成され、口部４の外容器２には前記ねじ２１が形成されている。また、図２、図９に示すようにボトル本体５の底部の外容器２には真空排気用の開口４１があり、この開口４１を通じて真空断熱空間３が真空排気され、その状態で封孔材４２による封孔処理や蓋板を外容器２にろう接やその他の方法で気密な状態で接合して封孔することにより前記真空状態が維持されるようにしている。
【００３３】
また、肩部材６がボトル本体５の肩部５ａに回り止め嵌め合い部４３を持って嵌め合わされている。これにより、肩部材６に回動方向の外力が働いても肩部材６は回らず、肩部材６の外力による回動が、肩固定部材２２の回動を伴う嵌め合わせによる肩部材６の固定作用に影響してそれが緩むようなことを阻止するので、さらに信頼性の高いものとなる。凹部４３ａと凸部４３ｂはボトル本体５および肩部材６のどちらの側に設けてもよく、実施例の場合と逆の配置にすることができる。図１〜図９に示す各実施例では特に、回り止め嵌め合い部４３が、ボトル本体５の外面とこれに対面する肩部材６の表面との凹部４３ａと凸部４３ｂとのボトル本体５の軸線５ｂ方向の嵌り合い部としてある。このようにすると、回り止め嵌め合い構造が簡単で、しかも肩部材６をボトル本体５の口部４の上方から軸線５ｂ方向に嵌め合わせる作業と同時に回り止めができるので、コスト上昇の原因にはならない。
【００３４】
図１〜図５に示す実施例では、回り止め嵌め合い部４３を図５に示すように、ボトル本体５の肩部５ａまわりの複数箇所に、他と違ったピッチ部を持つようにして配列している。これにより、肩部材６のボトル本体５への嵌め合いのボトル軸線５ｂまわりの向きを１つに特定することができる。
【００３５】
肩固定部材２２が前記のようにねじ２１でボトル本体５の口部４にねじ嵌めされていると、着脱が容易でしかも肩部材６側からの反力や外力伝達に対向しやすく、肩部材６の固定状態を緩み止めしやすいという特徴を発揮するし、肩固定部材２２が、肩部材６を固定するのに、ボトル本体５の口部４への嵌め合わせによって肩部材６と接触しているだけの状態でもよいが、図示するように肩部材６をボトル本体５の肩部５ａとの間で締め付けているようにすることにより、肩部材６を回り止めなしでも確固に固定でき好適である。
【００３６】
本実施例では回り止めと締め付けとによって肩部材６を分解に不便なくより確固に固定できる。特に、ボトル本体５の肩部５ａは肩部材６を受けとめる上向き段部５ｃを有し、この上向き段部５ｃと肩固定部材２２との間で肩部材６を固定しやすくしている。しかも上向き段部５ｃが、ボトル本体５の軸線５ｂにほぼ直角となる水平面であるので、肩部材６の受け止めがより確実になり肩部材６をより固定しやすくなる。同時に、肩固定部材２２の下面も水平面としてあり、これら水平面どうしの間で肩部材６を有効に締め付け固定できるようになる。
【００３７】
ボトル本体５が真空二重容器であるようにすると、かさ張らない構造で保温性を得ることができ、本実施例のように外装ケースを用いないシンプル構造にもできる。口部材９は口部４の内周にねじ嵌めしてあるが外周に対して行ってもよい。いずれにしても口部４の外周に位置する着脱のための操作部９ａを設けるなどして肩固定部材２２と対向する部分を持つ構造では、肩固定部材２２との間に所定の隙間４４を設ける。この隙間４４は肩固定部材２２による肩部材６を固定する締め付け位置に変動があっても、この変動の影響を受けずに口部材９を所定の装着状態まで確実にねじ嵌めできるようになる。この隙間４４はねじ２１やねじ３５の半ピッチ分程度でよく、肩固定部材２２のねじ嵌めが緩い場合に口部材９のねじ嵌めがきちっとできない状態を生んで、前記ねじ嵌めが緩いことを気づきやすくする効果もある。
【００３８】
さらに、図１に示すように口部材９のねじ３５とのねじ嵌め面に、最終装着位置にてねじ３５の端部３５ａと係合するストッパ４５を一体成形などして設けることにより、開閉栓３４のシールパッキン４６が口部４の内周の絞り部１４７に適度に圧接する嵌め最終位置を常に保証し、シール不良、過剰押圧によるシールパッキン４６の損傷や寿命の低下を防止できるようにしている。
【００３９】
また、図１に示すように口部材９と肩固定部材２２との対向端９ｂ、２２ａの外径は、対向端２２ａよりも対向端９ｂの方が大きく設定され、口部材９が優先的に取り外されるようにするのに、肩固定部材２２に操作が影響するのを防止できるようにしている。キャップ１２は肩固定部材２２および口部材９のいずれとの間にも隙間４７を持ち、キャップ１２の着脱操作やキャップ１２に働く外力がそれら肩固定部材２２および口部材９に影響するのを防止している。
【００４０】
口部材９の操作部９ａは図１に仮想線で示すように肩固定部材２２の外まわりに被さる構造にして、口部材９の優先的な取り外しがほぼ無意識に容易になされるようにすることができる。
【００４１】
また、ボトル本体５の肩部５ａにおける肩固定部材２２による肩部材６の固定部分４８と、肩部材６とボトル本体５との回り止め嵌め合い部４３とを上下２段に配置して個別に形成し、それぞれに必要な適宜な構造が互いの影響なく自由に設計できるようにしている。
【００４２】
図１に示すように、弁体１５はばね５１による上動付勢によって閉じ状態を保ち、口部材９の中央上部に設けられた操作部５２の押し込みによって仲介部材５３を介し押し下げられて開かれ、押し下げ解除により閉じ状態に自動復帰される。仲介部材５３は軸５４を中心に回動するものであるが、操作部５２の押し下げに伴い操作部５２に対する受動部の軸５４からの腕長さが短くなるようにし、初期の押し下げ抵抗を小さくして操作されやすくするとともに、終期の押し下げ抵抗を高めて過剰な勢いでの開き操作による無理が生じないようにしている。弁体１５の開き状態は仲介部材５３の弁体押動カム５３ａの弁体１５の弁棒１５ａを押動する位置がカム面５３ａ１からカム面５３ａ２に移ることで安定し、この安定状態で仲介部材５３の操作部５３ｂを押動して弁棒１５ａに対する押動位置をカム面５３ａ２〜カム面５３ａ１に移らせることにより、後は閉じ状態に自動復帰するようになっている。
【００４３】
図６、図７に示す実施例では、肩部材６とボトル本体５の肩部５ａとの間の回り止め嵌め合い部４３の凹部４３ａを、肩部材６の吊紐の連結部８を形成している部分の内側に形成し、連結部８が外側への張り出し部としたことによるボリューム増加を利用して凹部４３ａを形成するのに厚肉部を特別に設けるような必要がない。しかも、連結部８は２ヶ所あるので回り止め嵌め合い部４３を２ヶ所設けて回り止め効果を高めることができる。他の構造および奏する効果は図１〜図５に示す実施例の場合と特に変わるところはなく、重複する図示および説明は省略する。
【００４４】
図８、図９に示す実施例は、肩部材６の一方の吊紐７の連結部８をハンドル３３とともに一体成形してある。また、キャップ１２には取っ手６１を一体成形してある。他の構造および奏する作用効果は図１〜図５に示す実施例の場合と特に変わるところはなく、重複する図示および説明は省略する。
【００４５】
【発明の効果】
本発明によれば、ボトル本体の肩部の外まわりや口部に着脱できるように装着された肩部材や口部材が、ボトル本体と別体であるため、成形しやすい合成樹脂製などとして形状はもとより色も自由に設定でき、必要に応じて吊紐の連結部やハンドル、開閉栓などの付帯物を設けたり後付けしやすい上、この肩部材に、ボトル本体の肩部から上方に延びる口部に上方から被さるコップタイプのキャップを着脱できるように装着するので、キャップ装着時はキャップと肩部材しか外部に露出しない従来同様の外観や機能性が得られる。
【００４６】
一方、このような外観上、肩部材には従来の場合と同様に直接またはキャップを介して外力が働きやすい。しかし、肩固定部材が、肩部材の上で、従ってキャップが被さり覆われる部分に位置する外力を受けない部材となって、ボトル本体の口部外まわりにねじ嵌めやヘリコイド係合、これに類する方式で回動を伴ってのみ上方から着脱できるように嵌め付けられていることにより、肩部材をそれと接触してボトル本体への装着状態に固定しているので、外力が肩部材にどのように働くのかにかかわりなく肩固定部材に外力が働くことはなく、肩部材の肩固定部材による固定状態が緩むようなことを回避し、肩部材に連結し、あるいは設けた吊紐やハンドルによる携行時や取り扱い時に、肩部材が緩んでガタツキが生じるようなことや、増してボトル本体が脱落するようなことを防止することができ、信頼性の高いものになる。
【００４７】
しかも、ボトル本体の付帯物である口部材、肩部材、肩固定部材、およびキャップの全てがボトル本体に対し着脱できるので、ボトル本体を含め全ての構成部材を丸洗いすることができ、それらの組み立て構造上できる相互間の隙間や隅角部の汚れや付着異物なども容易に確実に除去することができ、全体を長期に清潔に保てる。
【００５８】
口部材と肩固定部材との対向部間の隙間は肩固定部材のねじ嵌めなどによる肩部材を固定する締め付け位置に変動があっても、この変動の影響を受けずに口部材を所定の装着状態まで確実にねじ嵌めできるようにする。
【図面の簡単な説明】
【図１】本発明の実施の形態に係る実施例の金属製ボトルの要部を示す断面図である。
【図２】図１の金属製ボトルの全体の断面図である。
【図３】図２の金属製ボトルのボトル本体を半部を断面して見た正面図である。
【図４】図２の金属製ボトルのボトル本体の全体の断面図である。
【図５】ボトル本体の上面図である。
【図６】別の実施例の金属製ボトルを示す要部の断面図である。
【図７】図６の金属製ボトルにおけるボトル本体の平面図である。
【図８】今１つの実施例を示す金属製ボトルの要部の断面図である。
【図９】図８の金属製ボトルの全体の断面図である。
【符号の説明】
１  内容器
２  外容器
３  真空断熱空間
４  口部
５  ボトル本体
５ａ  肩部
５ｂ  軸線
５ｃ  上向き段部
６  肩部材
６ａ  露出部
７  吊紐
８  連結部
９  口部材
９ｂ、２２ａ  対向端
１１  注ぎ口
１２  キャップ
１３、２１、３５  ねじ
１４  注出路
１５  弁体
２２  肩固定部材
３３  ハンドル
３４  開閉栓
４３  回り止め嵌め合い部
４３ａ  凹部
４３ｂ  凸部
４４、４７  隙間
【図１】
0003651331.tif 000002
【図２】
0003651331.tif 000003
【図３】
0003651331.tif 000004
【図４】
0003651331.tif 000005
【図５】
0003651331.tif 000006
【図６】
0003651331.tif 000007
【図７】
0003651331.tif 000008
【図８】
0003651331.tif 000009
【図９】
0003651331.tif 000010